(57)【要約】      （修正有）【課題】画像データを交換して見知らぬ写真を表示することのできる電子写真立て、電子写真交換システム、電子写真交換方法およびプログラムを提供する。【解決手段】画像表示を行う表示部１４と、撮影を行う撮影手段２１と、通信ネットワークに接続してデータ通信可能な通信手段２４と、撮影手段により撮影を行わせるとともに、通信手段を介して外部から画像データの要求を受けた場合に、撮影により得られた画像データを送信する応答制御手段と、通信手段を介して他の電子写真立てにより撮影された画像データの要求を外部に発信するとともに、この要求に基づき画像データが送られてきた場合に、この画像データを受信して前記表示部に表示させる要求制御手段と、をそれぞれ備えた複数の電子写真立ての間で画像データを交換させて各々に表示させる。【選択図】図１
2012104071.tif 000002
【特許請求の範囲】
【請求項１】
画像表示を行う表示部と、
撮影を行う撮影手段と、
通信ネットワークに接続してデータ通信可能な通信手段と、
前記撮影手段により撮影を行わせるとともに、前記通信手段を介して外部から画像データの要求を受けた場合に、前記撮影により得られた画像データを送信する応答制御手段と、
前記通信手段を介して他の電子写真立てにより撮影された画像データの要求を外部に発信するとともに、この要求に基づき画像データが送られてきた場合に、この画像データを受信して前記表示部に表示させる要求制御手段と、
を備えていることを特徴とする電子写真立て。
【請求項２】
自己の位置を表わす自己位置情報を取得する位置情報取得手段と、
要求する画像データの出所位置に関する出所情報を入力する入力手段と、
前記位置情報取得手段により取得された自己位置情報を前記通信手段を介して外部に発信する位置情報発信手段と、
を備え、
前記要求制御手段は、
前記入力手段により入力された前記出所情報に対応する地域に含まれる位置の情報を、前記自己位置情報とする他の電子写真立ての画像データを要求することを特徴とする請求項１記載の電子写真立て。
【請求項３】
前記位置情報取得手段は、測位用の衛星から信号を受信して測位を行う衛星測位手段であることを特徴とする請求項２記載の電子写真立て。
【請求項４】
前記入力手段により入力される前記出所情報は時差情報であり、
前記要求制御手段は、前記位置情報取得手段により取得された自己位置情報から前記時差情報の時差分離れている地域に含まれる位置の情報を、前記自己位置情報とする他の電子写真立ての画像データを要求することを特徴とする請求項２記載の電子写真立て。
【請求項５】
複数の請求項１〜４の何れか一項に記載の電子写真立てと、
前記電子写真立てからの画像データの要求を受けて、他の電子写真立てへ画像データの要求を送るとともに、この要求に基づき当該他の電子写真立てから画像データが送られてきた場合に、この画像データを要求元の前記電子写真立てへ転送するサーバー装置と、
を備えていることを特徴とする電子写真交換システム。
【請求項６】
前記サーバー装置は、
前記複数の電子写真立てから前記自己位置情報をそれぞれ受信した場合に当該複数の電子写真立てと前記自己位置情報とをそれぞれ対応づけてデータベースに登録する位置情報登録手段と、
前記電子写真立てから画像データの要求と前記出所情報とを受信した場合に、前記データベースに登録されている複数の電子写真立ての中から、受信した前記出所情報に対応する地域に含まれる位置の情報を、前記自己位置情報とする他の電子写真立てを検索する検索手段と、
前記検索手段により検索された電子写真立てに画像データの要求を送信するとともに、この要求に基づき送られてきた画像データを要求元の前記電子写真立てへ転送する画像データ転送手段と、
を備えていることを特徴とする請求項５記載の電子写真交換システム。
【請求項７】
画像表示を行う表示部と、撮影を行う撮影手段と、通信ネットワークに接続してデータ通信可能な通信手段と、前記表示部、前記撮影手段および前記通信手段を制御する制御部とを備えた装置により、電子写真を交換して表示する電子写真交換方法であって、
前記制御部が、前記撮影手段により撮影を行わせるとともに、前記通信手段を介して外部から画像データの要求を受けた場合に、前記撮影により得られた画像データを前記通信手段を介して送信する応答制御ステップと、
前記制御部が、前記通信手段を介して他の装置により撮影された画像データの要求を外部に発信するとともに、この要求に基づき画像データが送られてきた場合に、この画像データを受信して前記表示部に表示させる要求制御ステップと、
を含むことを特徴とする電子写真交換方法。
【請求項８】
さらに、自己の位置を表わす自己位置情報を取得する位置情報取得手段と、外部から情報を入力する入力手段とを備えた前記装置により、電子写真を交換して表示する請求項７記載の電子写真交換方法であって、
前記制御部が、前記位置情報取得手段により取得された自己位置情報を前記通信手段を介して外部に発信する位置情報発信ステップと、
前記制御部が、要求する画像データの出所位置に関する出所情報を前記入力手段を介して入力する出所情報入力ステップと、
を含み、
前記要求制御ステップは、
前記入力手段により入力された前記出所情報に対応する地域に含まれる位置の情報を、前記自己位置情報とする他の電子写真立ての画像データを要求することを特徴とする請求項７記載の電子写真交換方法。
【請求項９】
前記出所情報入力ステップにより入力される前記出所情報は時差情報であり、
前記要求制御ステップは、前記位置情報取得手段により取得された自己位置情報から前記時差情報の時差分離れている地域に含まれる位置の情報を、前記自己位置情報とする他の電子写真立ての画像データを要求することを特徴とする請求項８記載の電子写真交換方法。
【請求項１０】
画像表示を行う表示部と、撮影を行う撮影手段と、通信ネットワークに接続してデータ通信可能な通信手段とを制御するコンピュータに、
前記撮影手段により撮影を行わせるとともに、前記通信手段を介して外部から画像データの要求を受けた場合に、前記撮影により得られた画像データを前記通信手段を介して送信する応答制御機能と、
前記通信手段を介して他の装置により撮影された画像データの要求を外部に発信するとともに、この要求に基づき画像データが送られてきた場合に、この画像データを受信して前記表示部に表示させる要求制御機能と、
を実現させるプログラム。
【請求項１１】
さらに、自己の位置を表わす自己位置情報を取得する位置情報取得手段と、外部から情報を入力する入力手段とを制御する前記コンピュータに、
前記位置情報取得手段により取得された自己位置情報を前記通信手段を介して外部に発信する位置情報発信機能と、
要求する画像データの出所位置に関する出所情報を前記入力手段を介して入力する出所情報入力機能と、
を実現させ、
前記要求制御機能は、
前記入力手段により入力された前記出所情報に対応する地域に含まれる位置の情報を、前記自己位置情報とする他の電子写真立ての画像データを要求することを特徴とする請求項１０記載のプログラム。
【請求項１２】
前記出所情報入力機能により入力される前記出所情報は時差情報であり、
前記要求制御機能は、前記位置情報取得手段により取得された自己位置情報から前記時差情報の時差分離れている地域に含まれる位置の情報を、前記自己位置情報とする他の電子写真立ての画像データを要求することを特徴とする請求項１１記載のプログラム。
【発明の詳細な説明】
【技術分野】
【０００１】
この発明は、デジタル画像を互いに交換して表示できる電子写真立て、電子写真交換システム、電子写真交換方法およびプログラムに関する。
【背景技術】
【０００２】
近年、画像データを書き込んだメモリカードを装着して、画像を写真のように表示する電子写真立て（デジタルフォトフレームとも呼ばれる）が普及している。
【０００３】
また、本発明に関連する先行技術として、特許文献１には、通信機能を備え、サーバー装置に写真データをアップロードして保管したり、保管しておいた写真データをサーバー装置からダウンロードして表示したりできるデジタルフォトフレームについて開示されている。
【先行技術文献】
【特許文献】
【０００４】
【特許文献１】特開２００３−１６９７３４号公報
【発明の概要】
【発明が解決しようとする課題】
【０００５】
電子写真立てに、離れた地で撮影された見知らぬ写真を表示できるようになると、非常に興趣性に富んだ機能になると考えられる。
【０００６】
この発明の目的は、画像データを交換して見知らぬ写真を表示することのできる電子写真立て、電子写真交換システム、電子写真交換方法およびプログラムを提供することにある。
【課題を解決するための手段】
【０００７】
上記目的を達成するため、請求項１記載の発明は、
画像表示を行う表示部と、
撮影を行う撮影手段と、
通信ネットワークに接続してデータ通信可能な通信手段と、
前記撮影手段により撮影を行わせるとともに、前記通信手段を介して外部から画像データの要求を受けた場合に、前記撮影により得られた画像データを送信する応答制御手段と、
前記通信手段を介して他の電子写真立てにより撮影された画像データの要求を外部に発信するとともに、この要求に基づき画像データが送られてきた場合に、この画像データを受信して前記表示部に表示させる要求制御手段と、
を備えていることを特徴とする電子写真立てである。
【０００８】
請求項２記載の発明は、請求項１記載の電子写真立てにおいて、
自己の位置を表わす自己位置情報を取得する位置情報取得手段と、
要求する画像データの出所位置に関する出所情報を入力する入力手段と、
前記位置情報取得手段により取得された自己位置情報を前記通信手段を介して外部に発信する位置情報発信手段と、
を備え、
前記要求制御手段は、
前記入力手段により入力された前記出所情報に対応する地域に含まれる位置の情報を、前記自己位置情報とする他の電子写真立ての画像データを要求することを特徴としている。
【０００９】
請求項３記載の発明は、請求項２記載の電子写真立てにおいて、
前記位置情報取得手段は、測位用の衛星から信号を受信して測位を行う衛星測位手段であることを特徴としている。
【００１０】
請求項４記載の発明は、請求項２記載の電子写真立てにおいて、
前記入力手段により入力される前記出所情報は時差情報であり、
前記要求制御手段は、前記位置情報取得手段により取得された自己位置情報から前記時差情報の時差分離れている地域に含まれる位置の情報を、前記自己位置情報とする他の電子写真立ての画像データを要求することを特徴としている。
【００１１】
請求項５記載の発明は、
複数の請求項１〜４の何れか一項に記載の電子写真立てと、
前記電子写真立てからの画像データの要求を受けて、他の電子写真立てへ画像データの要求を送るとともに、この要求に基づき当該他の電子写真立てから画像データが送られてきた場合に、この画像データを要求元の前記電子写真立てへ転送するサーバー装置と、
を備えていることを特徴とする電子写真交換システムである。
【００１２】
請求項６記載の発明は、請求項５記載の電子写真交換システムにおいて、
前記サーバー装置は、
前記複数の電子写真立てから前記自己位置情報をそれぞれ受信した場合に当該複数の電子写真立てと前記自己位置情報とをそれぞれ対応づけてデータベースに登録する位置情報登録手段と、
前記電子写真立てから画像データの要求と前記出所情報とを受信した場合に、前記データベースに登録されている複数の電子写真立ての中から、受信した前記出所情報に対応する地域に含まれる位置の情報を、前記自己位置情報とする他の電子写真立てを検索する検索手段と、
前記検索手段により検索された電子写真立てに画像データの要求を送信するとともに、この要求に基づき送られてきた画像データを要求元の前記電子写真立てへ転送する画像データ転送手段と、
を備えていることを特徴としている。
【００１３】
請求項７記載の発明は、
画像表示を行う表示部と、撮影を行う撮影手段と、通信ネットワークに接続してデータ通信可能な通信手段と、前記表示部、前記撮影手段および前記通信手段を制御する制御部とを備えた装置により、電子写真を交換して表示する電子写真交換方法であって、
前記制御部が、前記撮影手段により撮影を行わせるとともに、前記通信手段を介して外部から画像データの要求を受けた場合に、前記撮影により得られた画像データを前記通信手段を介して送信する応答制御ステップと、
前記制御部が、前記通信手段を介して他の装置により撮影された画像データの要求を外部に発信するとともに、この要求に基づき画像データが送られてきた場合に、この画像データを受信して前記表示部に表示させる要求制御ステップと、
を含むことを特徴としている。
【００１４】
請求項８記載の発明は、請求項７記載の電子写真交換方法において、
さらに、自己の位置を表わす自己位置情報を取得する位置情報取得手段と、外部から情報を入力する入力手段とを備えた前記装置により、電子写真を交換して表示する請求項７記載の電子写真交換方法であって、
前記制御部が、前記位置情報取得手段により取得された自己位置情報を前記通信手段を介して外部に発信する位置情報発信ステップと、
前記制御部が、要求する画像データの出所位置に関する出所情報を前記入力手段を介して入力する出所情報入力ステップと、
を含み、
前記要求制御ステップは、
前記入力手段により入力された前記出所情報に対応する地域に含まれる位置の情報を、前記自己位置情報とする他の電子写真立ての画像データを要求することを特徴としている。
【００１５】
請求項９記載の発明は、請求項８記載の電子写真交換方法において、
前記出所情報入力ステップにより入力される前記出所情報は時差情報であり、
前記要求制御ステップは、前記位置情報取得手段により取得された自己位置情報から前記時差情報の時差分離れている地域に含まれる位置の情報を、前記自己位置情報とする他の電子写真立ての画像データを要求することを特徴としている。
【００１６】
請求項１０記載の発明は、
画像表示を行う表示部と、撮影を行う撮影手段と、通信ネットワークに接続してデータ通信可能な通信手段とを制御するコンピュータに、
前記撮影手段により撮影を行わせるとともに、前記通信手段を介して外部から画像データの要求を受けた場合に、前記撮影により得られた画像データを前記通信手段を介して送信する応答制御機能と、
前記通信手段を介して他の装置により撮影された画像データの要求を外部に発信するとともに、この要求に基づき画像データが送られてきた場合に、この画像データを受信して前記表示部に表示させる要求制御機能と、
を実現させるプログラムである。
【００１７】
請求項１１記載の発明は、請求項１０記載のプログラムにおいて、
さらに、自己の位置を表わす自己位置情報を取得する位置情報取得手段と、外部から情報を入力する入力手段とを制御する前記コンピュータに、
前記位置情報取得手段により取得された自己位置情報を前記通信手段を介して外部に発信する位置情報発信機能と、
要求する画像データの出所位置に関する出所情報を前記入力手段を介して入力する出所情報入力機能と、
を実現させ、
前記要求制御機能は、
前記入力手段により入力された前記出所情報に対応する地域に含まれる位置の情報を、前記自己位置情報とする他の電子写真立ての画像データを要求することを特徴としている。
【００１８】
請求項１２記載の発明は、請求項１１記載のプログラムにおいて、
前記出所情報入力機能により入力される前記出所情報は時差情報であり、
前記要求制御機能は、前記位置情報取得手段により取得された自己位置情報から前記時差情報の時差分離れている地域に含まれる位置の情報を、前記自己位置情報とする他の電子写真立ての画像データを要求することを特徴としている。
【発明の効果】
【００１９】
本発明に従うと、複数の装置間で画像データが適宜交換されて、この画像を各装置に表示させることができる。それにより、非常に興趣性の富んだ電子写真の表示機能を提供することができる。
【図面の簡単な説明】
【００２０】
【図１】本発明の実施形態の電子写真立ておよび電子写真交換システムの構成を示すブロック図である。
【図２】実施形態の電子写真立ての外観を示すもので、（ａ）はその正面側の斜視図、（ｂ）は背面側の斜視図である。
【図３】実施形態の電子写真立ての最適な置き方の一例を示す図である。
【図４】電子写真立てのＣＰＵにより実行される制御処理のフローチャートの第１部である。
【図５】同、制御処理のフローチャートの第２部である。
【図６】同、制御処理のフローチャートの第３部である。
【図７】同、制御処理のフローチャートの第４部である。
【図８】同、制御処理のフローチャートの第５部である。
【図９】同、制御処理のフローチャートの第６部である。
【図１０】サーバーのＣＰＵにより実行されるサーバー処理のフローチャートの第１部である。
【図１１】同、サーバー処理のフローチャートの第２部である。
【発明を実施するための形態】
【００２１】
以下、本発明の実施の形態を図面に基づいて説明する。
【００２２】
図１は、本発明の実施形態の電子写真立て１および電子写真交換システムの構成を示すブロック図、図２は、電子写真立て１の外観を示すブロック図である。
【００２３】
この実施形態の電子写真交換システムは、電子写真立て１と、インターネットなどの通信ネットワーク３０を介して複数の電子写真立て１と接続されるサーバー４０とから構成される。
【００２４】
電子写真立て１は、図１と図２に示すように、装置の全体を制御するＣＰＵ（中央演算処理装置）１０と、外部から受信した画像データ１１ａ，１１ｂを保存するフラッシュメモリ等の内部メモリ１１と、ＣＰＵ１０が実行する制御プログラムや制御データが格納されたＲＯＭ（Read Only Memory）１２と、ＣＰＵ１０に作業用のメモリ空間を提供するＲＡＭ（Random Access Memory）１３と、画像の表示を行う液晶表示パネル１４と、液晶表示パネル１４の表示制御を行う表示制御部１５と、外部から操作指令を入力するタッチパネル１６およびキー入力部１７と、操作指令の入力制御を行うキー入力制御部１８を備えている。また、画像データ等が書き込まれて挿抜可能にされたメモリカード１９と、メモリカード１９のデータの読み書きを行うメモリカードインターフェース２０と、ＣＣＤ（Charge Coupled Device）などの撮像素子および映像を結ぶレンズを用いて撮影を行って画像データを生成するカメラ部２１と、ＧＰＳ（全地球測位システム）衛星からの信号を受信するＧＰＳアンテナ２２と、ＧＰＳ衛星の信号を復調して現在位置を算出するＧＰＳ制御部２３と、インターネットなどの通信ネットワーク３０と接続してデータ通信を行う通信制御部２４と、各部に電源を供給する電源制御部２５等を備えている。
【００２５】
電子写真立て１の背部には、図２（ｂ）に示すように、メモリカード１９の挿抜部２０ａと、通信制御部２４の通信ケーブルの接続コネクタ２４ａ，２４ｂと、カメラ部２１のレンズ２１ａ等が設けられている。
【００２６】
図３には、電子写真立て１の最適な置き方の一例を表わした図を示す。
【００２７】
電子写真立て１は、例えば、図３に示すように、窓辺などに置いて、画像が表示出力される液晶表示パネル１４を室内の方に向け、カメラ部２１のレンズ２１ａを室外の方に向けて使用される。
【００２８】
ＲＯＭ１２には、カメラ部２１で撮影した画像を写真のように表示出力したり、複数の電子写真立て１との間で画像データを交換してこの画像を写真のように表示したりする制御処理のプログラムが格納されている。このプログラムは、ＲＯＭ１２に格納するほか、例えば、データ読取装置を介してＣＰＵ１０が読み取り可能な、例えば、光ディスク等の可搬型記録媒体、フラッシュメモリ等の不揮発性メモリに格納しておくことが可能である。また、このようなプログラムをキャリアウェーブ（搬送波）を媒体として通信回線を介して電子写真立て１にダウンロードされる形態を適用することもできる。
【００２９】
サーバー４０は、ＣＰＵ、制御プログラムやデータベース４１が格納される記憶装置、ならびに、通信インターフェース等を備えた汎用コンピュータである。
【００３０】
データベース４１には、サーバー４０に接続される複数の電子写真立て１の各識別情報と、各電子写真立て１から送られてくる自己の現在位置を表わす自己位置情報とが対応づけられて登録されるようになっている。
【００３１】
［動作概要］
次に、上記構成の電子写真交換システムの動作について説明する。
【００３２】
この電子写真立て１の動作モードには、自己で撮影した画像を表示する自己写真表示モードと、他の電子写真立て１で撮影された画像を表示する外部写真表示モードとがある。
【００３３】
自己写真表示モードでは、電子写真立て１の自動的な制御によって、所定時間ごとにカメラ部２１で撮影が行われ、この撮影により得られた画像が液晶表示パネル１４に表示される。この自己写真表示モードにより、ユーザは、屋外の風景画像を写真のように表示して楽しむことができる。
【００３４】
外部写真表示モードでは、ユーザがタッチパネル１６やキー入力部１７を操作して画像データを要求する地域（出所情報）を指定することで、電子写真立て１からサーバー４０にこの地域にある電子写真立て１で撮影された画像データの要求が送られる。
【００３５】
サーバー４０では、この画像データの要求を受けたら、データベース４１の中から該当地域の電子写真立て１を検索し、検索された電子写真立て１に画像データの要求を送信する。そして、この要求に基づき画像データが送られてきたら、サーバー４０はこの画像データを要求元の電子写真立て１へ転送する。
【００３６】
画像データの要求元の電子写真立て１は、画像データがサーバー４０から転送されてきたら、これを受信して内部メモリ１１に格納するとともに、この画像を液晶表示パネル１４に表示させる。
【００３７】
外部写真表示モードにおいて、画像データを要求する地域の指定方法は二種類ある。一つは、地域の位置を緯度と経度により入力する位置入力方法と、もう一つは、現在位置と時差とから地域を指定する時差入力方法である。時差入力方法の場合には、ＧＰＳ制御部２３により自己の位置が測位され、この自己の位置情報とユーザにより入力された時差情報とがサーバー４０へ送信される。そして、サーバー４０において位置情報と時差情報とから画像要求先の地域が算出される。
【００３８】
このような外部写真表示モードにより、ユーザは、離れた地域の見知らぬ風景画像を写真のように表示して楽しむことができる。
【００３９】
電子写真立て１は、上述した自己写真表示モードおよび外部写真表示モードの何れの場合にも、サーバー４０から画像データの要求がないかコマンド受信の確認を行う。そして、画像データの要求があれば、カメラ部２１により撮影を行って、この撮影により得られた画像データをサーバー４０へ送信する。
【００４０】
このようなコマンドの受信確認と画像データの送信の処理により、他の電子写真立て１から自己の地域の画像データの要求がなされた場合に、この他の電子写真立て１へ画像データの提供が実現される。
【００４１】
［制御手順］
続いて、上記の電子写真立て１とサーバー４０の動作についてフローチャートに従って詳細に説明する。
【００４２】
図４〜図９には、電子写真立て１のＣＰＵ１０により実行される制御処理のフローチャートを示す。
【００４３】
この制御処理は、電子写真立て１の電源投入により開始される。制御処理が開始されると、先ず、ＣＰＵ１０は、各種フラグの値や変数の値を初期化するイニシャライズ処理を行う（ステップＳ１）。そして、モードフラグ“ＭＦ”の値に応じた分岐処理（ステップＳ２，Ｓ８，Ｓ１７，Ｓ２９，Ｓ４１）に移行して、分岐に従った各処理を実行する。
【００４４】
すなわち、“ＭＦ＝０”であれば、図４の自己写真表示モードの処理および図９のサーバー４０に対する応答処理を実行し、“ＭＦ＝１”であれば、図５の外部写真表示モードにおける地域の指定方法をユーザに選択させる処理および図９のサーバー４０に対する応答処理を実行し、“ＭＦ＝２”であれば、図６のユーザに緯度経度の位置入力を行わせて外部から画像データを受け取る処理および図９のサーバー４０に対する応答処理を行う。
【００４５】
また、“ＭＦ＝３”であれば、図７のユーザに時差入力を行わせて外部から画像データを受け取る処理および図９のサーバー４０に対する応答処理を実行し、“ＭＦ＝４”であれば、図８の外部から受信した画像を表示する処理および図９のサーバー４０に対する応答処理を実行する。
【００４６】
そして、上記のように各分岐に従った処理を実行したら、再び、ステップＳ２に戻って、モードフラグ“ＭＦ”に応じた分岐処理（ステップＳ２，Ｓ８，Ｓ１７，Ｓ２９，Ｓ４１）およびこの分岐に従った各処理を繰り返す。
【００４７】
詳細には、“ＭＦ＝０”で、図４のステップＳ２の“ＹＥＳ”側へ移行すると、ＣＰＵ１０は、先ず、カメラ部２１により撮影を行わせて画像データを取り込む（ステップＳ３）。続いて、この画像データを表示制御部１５に出力して表示出力させる（ステップＳ４）。次に、キー入力制御部１８にモード切替スイッチがオン操作されたかの確認を行い（ステップＳ５）、オン操作が有ればモードフラグ“ＭＦ”の値を“１”に変更し（ステップＳ６）、表示出力をクリアして（ステップＳ７）、図９のサーバー４０に対する応答処理へ移行する。一方、オン操作が無ければ、そのまま図９の応答処理へ移行する。
【００４８】
図９のサーバー４０に対する応答処理へ移行したら、先ず、ＣＰＵ１０は、サーバー４０から通信制御部２４を介してコマンド受信がなされたか判別し（ステップＳ４６）、コマンド受信が無ければ、そのまま上記の分岐処理（ステップＳ２）へ戻る。
【００４９】
一方、ステップＳ４６でコマンド受信が有ったと判別されたら、コマンド内容を判別し（ステップＳ４７）、画像要求のコマンドであれば、カメラ部２１により撮影を行わせて画像データを取得し（ステップＳ４９）、この画像データをサーバー４０へ送信する（ステップＳ５０）。そして、ステップＳ２の分岐処理へ戻る。
【００５０】
また、ステップＳ４７の判別処理で、要求に応じた画像データが無いことを示す「なし」のコマンドであると判別されたら、液晶表示パネル１４に「なし」の表示を行って（ステップＳ４８）、ステップＳ２の分岐処理へ戻る。この「なし」の表示処理は、外部写真表示モードにおいて、サーバー４０に地域を指定して画像データの要求を行った結果、この地域に他の電子写真立て１の登録がなく、要求された画像データが無い場合に、このことをユーザに示すための処理である。
【００５１】
上記のステップＪ２〜Ｊ７，Ｊ４６〜Ｊ５０の一連の処理は、ステップＳ５〜Ｓ７でモード切替されなければ繰り返し実行されて、自己写真表示モードの動作と、サーバー４０からの画像要求に応答する処理とが実現される。なお、モード切替されずに上記一連の処理が繰り返し実行される場合には、ステップＳ３，Ｓ４の撮影と画像表示の処理は毎回実行されるのではなく、タイマー等の設定により所定時間（例えば５分〜３０分など）ごとに実行されるように構成しても良い。
【００５２】
モード切替が行われて“ＭＦ＝１”となった場合には、図５のステップＳ８で“ＹＥＳ”側へ移行する。すると、先ず、ＣＰＵ１０は、ユーザに画像データの要求地域の指定方法を選択させる画面表示を行う（ステップＳ９）。そして、タッチパネル１６を介して選択操作の入力があったか判別し（ステップＳ１０）、無ければキー入力部１７のモード切替スイッチのオン操作があったか判別する（ステップＳ１４）。そして、このオン操作もなければステップＳ１０に戻り、入力があるまでステップＳ１０，Ｓ１４のループ処理を繰り返す。
【００５３】
上記のループ処理中に、時差入力の選択操作があれば、ステップＳ１０で“時差”側へ進んで、モードフラグ“ＭＦ”の値を“３”に変更する（ステップＳ１２）。一方、緯度と経度による位置入力の選択操作があれば、ステップＳ１０で“位置”側へ進んで、モードフラグ“ＭＦ”の値を“２”に変更する（ステップＳ１１）。そして、表示出力をクリアして（ステップＳ１３）、図９のサーバー４０に対する応答処理へ移行する。
【００５４】
また、上記のループ処理中に、モード切替の操作があれば、ステップＳ１４で“ＹＥＳ”側へ進んで、モードフラグ“ＭＦ”の値を“０”（自己写真表示モードの値）に変更する（ステップＳ１５）。そして、表示出力をクリアして（ステップＳ１６）、図９のサーバー４０に対する応答処理へ移行する。
【００５５】
続く、図９のサーバー４０に対する応答処理は、上述した通りである。この応答処理を終えたら、再び、モードフラグ“ＭＦ”の値による分岐処理（ステップＳ２，Ｓ８，Ｓ１７，Ｓ２９，Ｓ４１）に戻る。
【００５６】
位置入力の選択操作が行われて、“ＭＦ＝２”となった場合には、図６のステップＳ１７で“ＹＥＳ”側へ移行する。すると、先ず、ＣＰＵ１０は、ユーザに緯度と経度とを入力させる画面の表示を行う（ステップＳ１８）。そして、タッチパネル１６を介して緯度経度の入力が行われたか判別し（ステップＳ１９）、未だであれば、キー入力部１７のモード切替スイッチのオン操作があったか判別する（ステップＳ２６）。そして、このオン操作もなければステップＳ１９に戻り、入力があるまでステップＳ１９，Ｓ２６のループ処理を繰り返す。
【００５７】
上記のループ処理中に緯度と経度の入力が行われたら、ステップＳ１９で“ＹＥＳ”側へ移行し、ＣＰＵ１０は、ＧＰＳアンテナ２２とＧＰＳ制御部２３を起動させて測位処理を実行させる（ステップＳ２０）。そして、ＧＰＳ制御部２３から現在の自己の位置（現在位置と呼ぶ）の緯度と経度のデータを取得し（ステップＳ２１）、この現在位置のデータとステップＳ１９で入力された緯度および経度のデータをサーバー４０に送信する（ステップＳ２２）。
【００５８】
上記ステップＳ２２のデータ送信は、画像の要求、要求先の地域を表わす情報提示、および、自己の位置情報の登録を行うためのものである。すなわち、画像要求先の地域を表わす緯度および経度のデータ送信により、画像の要求と、要求先の地域の情報とが表わされる。また、現在位置のデータ送信により、自己の位置情報がサーバー４０のデータベースに登録されて画像の要求が受け付けられるようになる。
【００５９】
サーバー４０へデータ送信を行ったら、続いて、サーバー４０から送られてくるデータの受信処理を完了まで行う（ステップＳ２３）。ここで、要求した画像データが有ればサーバー４０から画像データが送られてくる。そして、受信完了となったら、表示出力をクリアし（ステップＳ２４）、モードフラグ“ＭＦ”の値を“４”に変更する（ステップＳ２５）。
【００６０】
一方、ステップＳ１９，Ｓ２６のループ処理中に、モード切替スイッチのオン操作があれば、モードフラグ“ＭＦ”の値を“１”に変更し（ステップＳ２７）、表示出力をクリアする（ステップＳ２８）。
【００６１】
その後、上述した図９のサーバー４０に対する応答処理を実行し、再び、モードフラグ“ＭＦ”の値による分岐処理（ステップＳ２，Ｓ８，Ｓ１７，Ｓ２９，Ｓ４１）に戻る。
【００６２】
一方、ステップＳ１０の選択処理で時差入力の選択操作が行われて“ＭＦ＝３”となった場合には、図７のステップＳ２９で“ＹＥＳ”側へ移行する。そして、先ず、ＣＰＵ１０は、ユーザに画像要求先の地域を指定する時差を入力させる画面の表示を行う（ステップＳ３０）。次いで、タッチパネル１６を介して時差の入力が行われたか判別し（ステップＳ３１）、未だであれば、キー入力部１７のモード切替スイッチのオン操作があったか判別する（ステップＳ３８）。そして、このオン操作もなければステップＳ３１に戻り、入力があるまでステップＳ３１，Ｓ３８のループ処理を繰り返す。
【００６３】
上記のループ処理中に時差の入力が行われたら、ステップＳ３１で“ＹＥＳ”側へ移行して、ＧＰＳアンテナ２２とＧＰＳ制御部２３とを起動させて測位処理を実行させる（ステップＳ３２）。そして、ＧＰＳ制御部２３から現在の自己の位置（現在位置と呼ぶ）の緯度と経度のデータを取得し（ステップＳ３３）、現在位置のデータとステップＳ３１で入力された時差のデータをサーバー４０に送信する（ステップＳ３４）。
【００６４】
上記ステップＳ３４のデータ送信は、画像の要求、要求先の地域を表わす情報提示、および、自己の位置情報の登録を行うためのものである。すなわち、画像要求先の地域を表わす時差と現在位置のデータ送信により、画像の要求と、要求先の地域の情報とが表わされる。ここで、要求先の地域は、現在位置から時差分離れた地域として表わされる。また、現在位置のデータ送信により、自己の位置情報がサーバー４０のデータベースに登録されて画像の要求が受け付けられるようになる。
【００６５】
サーバー４０へデータ送信を行ったら、続いて、サーバー４０から送られてくるデータの受信処理を完了まで行う（ステップＳ３５）。ここで、要求した画像データが有ればサーバー４０から画像データが送られてくる。そして、受信完了となったら、表示出力をクリアし（ステップＳ３６）、モードフラグ“ＭＦ”の値を“４”に変更する（ステップＳ３７）。
【００６６】
一方、ステップＳ３１，Ｓ３８のループ処理中に、モード切替スイッチのオン操作があれば、モードフラグ“ＭＦ”の値を“１”に変更し（ステップＳ３９）、表示出力をクリアする（ステップＳ４０）。
【００６７】
その後、上述した図９のサーバー４０に対する応答処理を実行し、再び、モードフラグ“ＭＦ”の値による分岐処理（ステップＳ２，Ｓ８，Ｓ１７，Ｓ２９，Ｓ４１）に戻る。
【００６８】
上記のステップＳ２３〜Ｓ２５（図６）、Ｓ３５〜Ｓ３７（図７）により、サーバー４０からデータ受信を行って“ＭＦ＝４”となった場合には、図８のステップＳ４１で“ＹＥＳ”側へ移行する。すると、先ず、ＣＰＵ１０は、サーバー４０より受信した画像データがあれば、この画像データを表示制御部１５に送って液晶表示パネル１４に表示出力させる（ステップＳ４２）。
【００６９】
次に、キー入力部１７のモード切替スイッチがオン操作されたか確認し（ステップＳ４３）、オン操作があれば、表示出力をクリアして（ステップＳ４４）、モードフラグ“ＭＦ”の値を“０”に変更する（ステップＳ４５）。その後、図９のサーバー４０に対する応答処理へ移行する。一方、モード切替スイッチのオン操作が無ければ、そのまま図９のサーバー４０に対する応答処理へ移行する。
【００７０】
そして、上述の応答処理を実行したら、再び、モードフラグ“ＭＦ”の値による分岐処理（ステップＳ２，Ｓ８，Ｓ１７，Ｓ２９，Ｓ４１）に戻る。
【００７１】
上記の電子写真立て１の制御処理により、ユーザが自己写真表示モードを選択している間は、電子写真立て１が自ら撮影した画像の表示出力が行われる。一方、ユーザが外部写真表示モードに切り替えて、画像要求先の地域を指定する入力を行うことで、サーバー４０にこの地域の画像データの要求がなされ、この要求に基づき画像データが送られてきたら、この画像データを受信して当該画像の表示出力が行われるようになっている。
【００７２】
なお、上記のフローチャートでは、外部写真表示モードにおいて、ユーザが画像要求先の地域を指定した時点で画像の要求と画像データの受信とが行われ、その後、自己写真表示モードに切り替るまで、このとき受信した画像の表示が続けられるようになっているが、次のように変更しても良い。例えば、ユーザが画像要求先の地域を指定したら、所定時間ごと（例えば５分〜１時間毎）に、画像の要求および画像データの受信を行って、表示出力する画像が切り替えられていくように構成しても良い。また、この画像の要求が行われる時間間隔をユーザが選択可能なように構成しても良い。
【００７３】
図１０と図１１には、サーバー４０のＣＰＵにより実行されるサーバー処理のフローチャートを示す。
【００７４】
このサーバー処理が開始されると、先ず、サーバー４０のＣＰＵは、各地の電子写真立て１から信号受信があるか監視処理（ステップＪ１）を繰り返し、受信があれば次に進む。
【００７５】
受信があって、次に進んだら、ＣＰＵは、先ず、現在位置のデータを受信したか判別し（ステップＪ２）、このデータでなければ、画像要求先の地域を表わす時差データを受信したか判別し（ステップＪ６）、このデータでもなければ、画像要求先の地域を表わす位置データを受信したか判別し（ステップＪ１４）、このデータでもなければ、画像データを受信したか判別する（ステップＪ１７）。
【００７６】
その結果、現在位置のデータを受信したと判別されたら、ステップＪ２の“ＹＥＳ”側へ移行して、サーバー４０のＣＰＵは、受信データから現在位置の情報を取得して（ステップＪ３）、データベース４１に既に登録ずみであるか確認する（ステップＪ４）。そして、未登録であれば、新たな現在位置の情報としてデータベース４１に登録する（ステップＪ５：位置情報登録手段）。この登録の際には、データ送信元の電子写真立て１を識別してデータ通信可能とする識別情報と対応づけて登録を行う。その後、ステップＪ１に戻る。一方、既に登録済みであればそのままステップＪ１に戻る。
【００７７】
また、ステップＪ１の信号受信で時差データを受信した場合には、ステップＪ６でそれが判別されて、ステップＪ６の“ＹＥＳ”側へ移行する。すると、ＣＰＵは、先ず、データベース４１を検索して、データ送信元の電子写真立て１の現在位置の情報が受信済みか判別する（ステップＪ７）。その結果、受信済みでなければ、画像要求には応じずにステップＪ１に戻る。
【００７８】
一方、現在位置の情報が受信済みであれば、この現在位置が含まれるタイムゾーンを検索し（ステップＪ８）、このタイムゾーンから受信された時差だけ離れた画像要求先のタイムゾーンを算出する（ステップＪ９）。そして、データベース４１の中から、この画像要求先のタイムゾーンに含まれる位置情報を検索する（ステップＪ１０：検索手段）。そして、このタイムゾーンに含まれる位置情報の有無を判別し（ステップＪ１１）、位置情報が有れば、検索された位置情報に対応づけられた電子写真立て１へ画像要求コマンドを送信して（ステップＪ１２）、ステップＪ１に戻る。一方、位置情報が無ければ、時差データを送信してきた電子写真立て１へ、要求された画像データが無いことを表わす「なし」のコマンドを送信して（ステップＪ１３）、ステップＪ１に戻る。
【００７９】
ステップＪ１０の検索処理で、画像要求先のタイムゾーンに含まれる位置情報がデータベース４１から複数見つかった場合には、この中からランダムに１つの位置情報を抽出して、この位置情報に対応づけられた電子写真立て１へ、ステップＪ１２で画像要求コマンドを送信するようにする。
【００８０】
なお、電子写真立て１において外部写真表示モードで同一の画像要求が所定時間ごとに繰り返し行われるように構成した場合には、画像要求先のタイムゾーンに含まれる複数の位置情報の中から、１つの位置情報を一端から他端へ適宜な間隔を開けて順に変化するように選択していき、この選択された位置情報の電子写真立て１へ画像要求コマンドを送信するようにしても良い。このように構成することで、電子写真立て１では、画像要求先の指定地域の写真を西側から東側へ或いはその逆へ徐々に変化させながら表示していくことができる。
【００８１】
一方、ステップＪ１の信号受信で画像要求先の地域を表わす緯度と経度の位置データを受信した場合には、ステップＪ１４でそれが判別されて、ステップＪ１４の“ＹＥＳ”側へ移行する。すると、ＣＰＵは、先ず、データベース４１を検索して、データ送信元の電子写真立て１の現在位置の情報が受信済みであるか判別する（ステップＪ１５）。その結果、受信済みでなければ、画像要求には応じずにステップＪ１に戻る。
【００８２】
また、ステップＪ１５で受信済みと判別されたら、ＣＰＵは、データベース４１の中から受信された画像要求先の位置と同一或いはこの位置から所定範囲に含まれる位置情報があるか検索する（ステップＪ１６：検索手段）。そして、ステップＪ１１に移行して位置情報の有無を判別し、有れば対応する電子写真立て１へ画像要求コマンドを送信し、無ければデータ送信元の電子写真立て１へ「なし」のコマンドを送信する（ステップＪ１３）。そして、ステップＪ１に戻る。
【００８３】
また、ステップＪ１の信号受信で画像データを受信した場合には、ステップＪ１７でそれが判別されて、ステップＪ１７の“ＹＥＳ”側へ移行する。すると、ＣＰＵは、先に現在位置の情報と時差データ或いは位置データを送ってきた電子写真立て１へ、上記画像データを転送する（ステップＪ１８：画像データ転送手段）。そして、ステップＪ１に戻る。
【００８４】
このようなサーバー処理により、複数の電子写真立て１から各自の現在位置のデータを受信して各々の識別情報と対応づけてデータベース４１へ登録したり、電子写真立て１から画像データの要求を受けて対応する他の電子写真立て１へ画像データの要求を出したり、要求に応じて送られてきた画像データを受信して要求元の電子写真立て１へ転送するといった各処理が実現されるようになっている。
【００８５】
以上のように、この実施形態の電子写真立て１および電子写真交換システムによれば、複数の電子写真立て１の間で通信ネットワークを介して撮影により得られた画像データを交換して各々で写真のように表示することができる。この機能により、ユーザは見知らぬ風景画像を写真のように表示して楽しむことができるとともに、自己の自慢の風景画像を他のユーザに配信することができる。
【００８６】
また、上記実施形態の電子写真立て１および電子写真交換システムによれば、各電子写真立て１が自己の現在位置のデータを送信して、画像データを交換可能な電子写真立て１の現在位置が登録されるとともに、ユーザが画像要求先の地域を指定して画像データの要求が行われるようになっている。従って、ユーザは、全国の中から所望の地域の風景画像を要求して表示することができる。この機能により、例えば、旅行の前に旅行先の風景画像を要求して表示することで、気候や服装など現地の種々の状況を確認することが可能となる。また、登山家やアースマラソン走者がこの電子写真立て１を装備している場合に、ユーザが余り行くことのできないめずらしい風景画像を受信して表示することも可能となる。
【００８７】
また、電子写真立て１の自己の現在位置はＧＰＳの測位により取得されるようになっているので、ユーザにより入力させる構成に比べて、正確で間違いのない現在位置の登録を行うことができる。
【００８８】
また、画像要求先の地域を指定するのに、時差を入力して当該地域を指定する方法を選択できるので、この指定方法を選択することで、ユーザは容易に地域の指定を行うことができる。
【００８９】
また、複数の電子写真立て１の間にサーバー４０が介在して画像データの交換が行われるようになっているので、各電子写真立て１の通信処理の負荷の低減を図ることができ、各電子写真立て１のセキュリティ管理も容易に行うことができる。
【００９０】
また、複数の電子写真立て１の現在位置のデータと識別情報とが対応づけられて登録されるデータベース４１がサーバー４０に設けられ、このデータベース４１から画像要求先の地域にある電子写真立て１が検索されて、画像データの要求が行われるようになっているので、地域指定による画像データの交換を容易な制御で実現することができる。
【００９１】
なお、本発明は、上記実施の形態に限られるものではなく、様々な変更が可能である。例えば、上記実施形態では、カメラ部２１が電子写真立て１の本体部に一体的に設けられている例を示したが、カメラ部を有線ケーブルや無線を介して本体部と接続される構成とし、画像表示が行われる本体部の設置位置とカメラ部による撮影位置とを離して設定できるように構成しても良い。
【００９２】
また、上記実施の形態では、サーバー４０を介して画像データの交換を行うシステム構成を例示したが、複数の電子写真立て１がそれぞれ直接的に画像データの要求を送ったり、この要求に応じて画像データを直接的に交換したり構成することもできる。
【００９３】
また、上記実施の形態では、画像データの要求がなされた時点で撮影された画像データが交換される構成としたが、電子写真立て１の撮影により予め用意された画像データが要求に応じて交換される構成としても良い。
【００９４】
また、上記実施の形態では、ＧＰＳの測位により電子写真立て１の現在位置のデータを取得する構成としたが、ユーザにより現在位置を入力させる構成としても良い。また、上記実施の形態では、電子写真立て１の自己の現在位置のデータがサーバー４０に登録されることで、この電子写真立て１から画像データの要求が受け付けられる構成としているが、電子写真立て１から撮影により得られた画像データがサーバー４０に送られて正常な画像と判断された場合に、この電子写真立て１から画像データの要求を受付可能とするように構成しても良い。また、交換される画像データはサーバー４０に予め蓄積しておき、蓄積されている画像データの中から要求に応じた画像データを抽出して要求元に送るように構成しても良い。
【００９５】
その他、実施形態で示した細部構成および細部方法は、発明の趣旨を逸脱しない範囲で適宜変更可能である。
【符号の説明】
【００９６】
１      電子写真立て
１０    ＣＰＵ（応答制御手段、要求制御手段、位置情報発信手段）
１１    内部メモリ
１２    ＲＯＭ
１３    ＲＡＭ
１４    液晶表示パネル（表示部）
１５    表示制御部
１６    タッチパネル（入力手段）
１７    キー入力部（入力手段）
１８    キー入力制御部
２１    カメラ部（撮影手段）
２１ａ  レンズ
２２    ＧＰＳアンテナ
２３    ＧＰＳ制御部（位置情報取得手段、衛星測位手段）
２４    通信制御部（通信手段）
３０    通信ネットワーク
４０    サーバー
４１    データベース
【図１】
2012104071.tif 000003
【図２】
2012104071.tif 000004
【図３】
2012104071.tif 000005
【図４】
2012104071.tif 000006
【図５】
2012104071.tif 000007
【図６】
2012104071.tif 000008
【図７】
2012104071.tif 000009
【図８】
2012104071.tif 000010
【図９】
2012104071.tif 000011
【図１０】
2012104071.tif 000012
【図１１】
2012104071.tif 000013